(57)【要約】      （修正有）【課題】複数の蓄電装置を隣接させて配置したときに、空間効率を高めることができる蓄電装置を提供する。【解決手段】蓄電装置は、蓄電素子と蓄電素子を保持する保持体を備え、保持体は一方側に突出する第一の突部７２と一方側とは反対側に突出する第二の突部７２とが、第一及び第二の突部が突出する方向と直交する方向において、異なる位置に形成されている。この構成により、第一及び第二の突部が突出する方向に二つの蓄電装置が並んで配置された時に、隣り合う蓄電装置の一方の蓄電装置の第一の突部と他方の蓄電装置の第二の突部とが干渉することがない。そのため、隣り合う蓄電装置をできるだけ接近させて配置することができる。【選択図】図６
2014182946.tif 000002
【特許請求の範囲】
【請求項１】
少なくとも一つの蓄電素子と、
該蓄電素子を保持する保持体とを備え、
該保持体は、一方側に突出する第一の突部と、該一方側とは反対側に突出する第二の突部とを備え、
前記第一の突部と前記第二の突部とは、前記第一及び第二の突部が突出する方向と直交する方向において、異なる位置に形成されている
蓄電装置。
【請求項２】
前記保持体は、前記蓄電素子の両側に配置される一対の部材を備え、
前記第一の突部は、前記一対の部材の一方の部材に設けられ、前記第二の突部は、他方の部材に設けられ、
前記一対の部材は、前記一方の部材と前記他方の部材とが反転関係となる二つの同一の部材である
請求項１に記載の蓄電装置。
【請求項３】
前記突部は、前記保持体の脚部である
請求項１又は請求項２に記載の蓄電装置。
【請求項４】
前記保持体は、複数の部材から構成され、
前記突部は、部材同士を締結するための締結部材の一部である
請求項１乃至請求項３のいずれか１項に記載の蓄電装置。
【請求項５】
前記第一及び第二の突部のそれぞれは、異なる二つの方向に突出する
請求項１乃至請求項４のいずれか１項に記載の蓄電装置。
【請求項６】
前記蓄電装置が載置され、前記蓄電装置に接触して前記蓄電素子を冷却する冷却プレートをさらに備える
請求項１乃至請求項５のいずれか１項に記載の蓄電装置。
【請求項７】
少なくとも一つの蓄電素子と、該蓄電素子を保持する保持体とを備える蓄電装置を少なくとも二つ並べて備え、
隣り合う蓄電装置のそれぞれ蓄電装置の前記保持体は、前記隣り合う蓄電装置間で突出する突部を備え、
前記隣り合う蓄電装置の一方の蓄電装置の前記保持体における前記突部と他方の蓄電装置の前記保持体における前記突部とは、前記隣り合う蓄電装置が並ぶ方向と直交する方向において、異なる位置に形成されている
蓄電装置ユニット。
【発明の詳細な説明】
【技術分野】
【０００１】
本発明は、少なくとも一つの蓄電素子がパッケージ化された蓄電装置及び該蓄電装置を少なくとも二つ並べて備えた蓄電装置ユニットに関する。
【背景技術】
【０００２】
内燃機関に取って代わって普及が進められているハイブリッド式機械や電気駆動式機械は、モータの電源装置として、蓄電装置ユニットを搭載している。この種の蓄電装置ユニットは、電池（リチウムイオン電池、ニッケル水素電池等）やキャパシタ（電気二重層キャパシタ等）といった放充電可能な蓄電素子がパッケージ化された蓄電装置を機械の要求諸元に見合う数だけ備えている。
【０００３】
例えば、特許文献１に記載されたバッテリ・パック（蓄電装置ユニット）は、特許文献１の図１に示すように、複数の単位電池セル１１０（蓄電素子）、上部フレーム１２０、下部フレーム１３０、側面フレーム１４０及びエンドプレート１５０から構成されたバッテリ・モジュール１００（蓄電装置）が、同図６に示すように、上下及び横に並んで配置されたものである。
【０００４】
また、特許文献２に記載された電源装置（蓄電装置ユニット）は、特許文献２の図３に示すように、複数の角形電池セル１（蓄電素子）、バインドバー１１及びエンドプレート４から構成された電池積層体５０（蓄電装置）が、同図３及び図２に示すように、ベースプレート６上で縦横に並んで配置されたものである。
【０００５】
ところで、蓄電装置ユニットは、機械の限られた空間に配置されるため、できるだけ無駄なスペースを無くして小型化される必要がある。
【０００６】
この観点で見ると、特許文献１に記載されたバッテリ・パック（蓄電装置ユニット）では、バッテリ・モジュール１００（蓄電装置）を横に並べて配置する際、側面フレーム１４０をエンドプレート１５０に固定するためのボルトの頭部同士が当たらないように互いの距離を離間させる必要があるため、隣り合うバッテリ・モジュール１００（蓄電装置）間に無駄なスペースが生じている。
【０００７】
また、特許文献２に記載された電源装置（蓄電装置ユニット）では、電池積層体５０（蓄電装置）を横に並べて配置する際、バインドバー１１をベースプレート６に固定するための固定片３１同士が当たらないように互いの距離を離間させる必要があるため、隣り合う電池積層体５０（蓄電装置）間に無駄なスペースが生じている。
【先行技術文献】
【特許文献】
【０００８】
【特許文献１】特開２０１１−１０８６５２号公報
【特許文献２】特開２０１２−９４４５６号公報
【発明の概要】
【発明が解決しようとする課題】
【０００９】
そこで、本発明は、複数の蓄電装置を隣接させて配置したときに、空間効率を高めることができる蓄電装置及び蓄電装置ユニットを提供することを課題とする。
【課題を解決するための手段】
【００１０】
本発明に係る蓄電装置は、
少なくとも一つの蓄電素子と、
該蓄電素子を保持する保持体とを備え、
該保持体は、一方側に突出する第一の突部と、該一方側とは反対側に突出する第二の突部とを備え、
第一の突部と第二の突部とは、第一及び第二の突部が突出する方向と直交する方向において、異なる位置に形成されている。
【００１１】
かかる構成によれば、第一及び第二の突部が突出する方向に少なくとも二つの蓄電装置が並んで配置されたときに、隣り合う蓄電装置の一方の蓄電装置の第一の突部と他方の蓄電装置の第二の突部とが干渉することはない。そのため、隣り合う蓄電装置をできるだけ接近させて配置することができる。
【００１２】
ここで、本発明に係る蓄電装置の一態様として、
保持体は、蓄電素子の両側に配置される一対の部材を備え、
第一の突部は、一対の部材の一方の部材に設けられ、第二の突部は、他方の部材に設けられ、
一対の部材は、一方の部材と他方の部材とが反転関係となる二つの同一の部材である
ようにすることができる。
【００１３】
かかる構成によれば、一対の部材が配置される方向に少なくとも二つの蓄電装置が並んで配置されたときに、隣り合う蓄電装置の一方の蓄電装置の一方の部材の第一の突部と他方の蓄電装置の他方の部材の第二の突部とが干渉することはない。そのため、隣り合う蓄電装置をできるだけ接近させて配置することができる。
【００１４】
また、本発明に係る蓄電装置の他態様として、
突部は、保持体の脚部である
ようにすることができる。
【００１５】
かかる構成によれば、蓄電装置を支える脚部が設けられ、脚部が突部となってしまうものの、該脚部は、蓄電装置が並んで配置されたときに干渉し合わないようにずれて配置されている。そのため、隣り合う蓄電装置をできるだけ接近させて配置することができる。
【００１６】
また、本発明に係る蓄電装置の別の態様として、
保持体は、複数の部材から構成され、
突部は、部材同士を締結するための締結部材の一部である
ようにすることができる。
【００１７】
かかる構成によれば、保持体を組み合わせるために締結部材が用いられ、締結部材の一部が突部となってしまうものの、該締結部材の一部は、蓄電装置が並んで配置されたときに干渉し合わないようにずれて配置されている。そのため、隣り合う蓄電装置をできるだけ接近させて配置することができる。
【００１８】
また、本発明に係る蓄電装置のさらに別の態様として、
第一及び第二の突部のそれぞれは、異なる二つの方向に突出する
ようにすることができる。
【００１９】
かかる構成によれば、異なる二つの方向のそれぞれに蓄電装置が並んで配置されたときに、二つの方向のそれぞれにおいて隣り合う蓄電装置をできるだけ接近させて配置することができ、蓄電装置の集密度を高めることができる。
【００２０】
また、本発明に係る蓄電装置の別の態様として、
蓄電装置が載置され、蓄電装置に接触して蓄電素子を冷却する冷却プレートをさらに備える
ようにすることができる。
【００２１】
かかる構成によれば、複数の蓄電装置を密に配置することができるため、それぞれの蓄電装置をムラなく均一に冷却することができる。
【００２２】
また、本発明に係る蓄電装置ユニットは、
少なくとも一つの蓄電素子と、該蓄電素子を保持する保持体とを備える蓄電装置を少なくとも二つ並べて備え、
隣り合う蓄電装置のそれぞれ蓄電装置の保持体は、隣り合う蓄電装置間で突出する突部を備え、
隣り合う蓄電装置の一方の蓄電装置の保持体における突部と他方の蓄電装置の保持体における突部とは、隣り合う蓄電装置が並ぶ方向と直交する方向において、異なる位置に形成されている。
【００２３】
かかる構成によれば、突部同士が干渉することはない。そのため、隣り合う蓄電装置をできるだけ接近させて配置することができる。
【発明の効果】
【００２４】
以上のように、本発明によれば、複数の蓄電装置を隣接させて配置したときに、空間効率を高めることができるという優れた効果を奏し得る。
【図面の簡単な説明】
【００２５】
【図１】図１は、本発明に係る蓄電装置の一実施形態である電池モジュールを構成する電池モジュールの斜視図を示す。
【図２】図２は、同電池モジュールの正面図を示す。
【図３】図３は、同電池モジュールの側面図を示す。
【図４】図４は、同電池モジュールの平面図を示す。
【図５】図５は、同電池モジュールの分解斜視図を示す。
【図６】図６は、同電池モジュールがベースプレート上で縦横に並んで配置された形態の電池モジュールユニットの部分平面図を示す。
【図７】図７は、他実施形態に係る電池モジュールの斜視図を示す。
【発明を実施するための形態】
【００２６】
以下、本発明に係る蓄電装置の一実施形態である電池モジュールについて、図面を参酌しつつ説明する。
【００２７】
図１〜図５に示すように、電池モジュール１は、第一方向に整列される複数の電池セル３と、隣り合う電池セル３間及び第一方向における複数の電池セル３の両側にそれぞれ配置される複数のスペーサ５と、複数の電池セル３及び複数のスペーサ５を保持してパッケージ化する保持体としてのフレーム７と、複数の電池セル３の電圧、電流又は温度の少なくとも一つを電池セル３毎に監視するセル監視回路（ＣＭＵ：Cell Monitor Unit）モジュール９とを備えている。
【００２８】
なお、以下においては、便宜上、第一方向をＸ方向（各図に示された直交軸のうちのＸ軸方向）といい、第一方向と直交する第二方向をＹ方向（各図に示された直交軸のうちのＹ軸方向）といい、第一方向及び第二方向と直交する第三方向をＺ方向（各図に示された直交軸のうちのＺ軸方向）という。各図においては、Ｘ方向、Ｙ方向、Ｚ方向のそれぞれ一方側に対し、Ｘ、Ｙ、Ｚの記号を付している。なお、Ｚ方向が鉛直方向に置かれた場合、Ｚ方向は上下方向となり、Ｙ方向は左右方向、Ｘ方向は前後方向となる。
【００２９】
電池セル３は、開口部を有するケース本体３１と、該ケース本体３１の開口部を塞いで密閉する蓋体３２とで構成されるケース３０を備えている。ケース３０内には、互いに絶縁された正極板と負極板とを含む電極体（図示せず）が収容されている。電池セル３は、Ｘ方向に扁平な角形電池である。
【００３０】
電池セル３は、正負極一対の電極端子３３を備えている。隣り合う電池セル３は、極性が反対となるように配置され、隣り合う電池セル３の電極端子３３にはバスバー３４が取り付けられる。その上で、電極端子３３にはナット（図示しない）が螺合される。これにより、複数の電池セル３は、電気的に接続され、一つの電池を構成する。なお、複数の電池セル３のうち、Ｘ方向において両端に位置する二つの電池セル３のうち、一方の電池セル３（以下、「一端にある電池セル」という）の一方の電極端子（正極の電極端子）３３には、正極の外部端子３５が取り付けられ、他方の電池セル３（以下、「他端にある電池セル」という）の一方の電極端子（負極の電極端子）３３には、負極の外部端子３５が取り付けられている。
【００３１】
スペーサ５は、合成樹脂製であり、絶縁性を有している。スペーサ５は、スペーサ本体５０と、該スペーサ本体５０からＸ方向に延出し、Ｘ方向において該スペーサ本体５０と対向する電池セル３の外周端部を保持する保持部５１とを備えている。スペーサ本体５０は、電池セル３のケース３０がＸ方向から見て矩形状であるのに対応して、矩形状に形成されている。保持部５１は、スペーサ本体５０の四つの角部のそれぞれに形成された角部保持部５２と、スペーサ本体５０の三辺のそれぞれ中央部に形成された角部間保持部５３とを備えている。
【００３２】
なお、本実施形態に係る電池モジュールでは、電池セル３の冷却方式として、内部に（パイプを介して）水などの冷却媒体が流通する冷却プレート（ヒートシンク）に電池セル３が接触することで電池セル３が冷却される、いわゆる水冷式が採用されている。電池セル３間に隙間が形成されてこの隙間に空気が流通することで電池セル３が冷却される、いわゆる空冷式ではない。空冷式のスペーサであれば、空気の流路を確保するために、例えば矩形波形状の断面形状を有するスペーサ本体が用いられるが、水冷式のスペーサではその必要がないため、本実施形態では、平坦な板状のスペーサ本体５０が用いられる。これにより、スペーサ５は、隣り合う電池セル３の一方の電池セル３のケース３０のＸ方向における面がスペーサ本体５０の一方の面に当接し、且つ、隣り合う電池セル３の他方の電池セル３のケース３０のＸ方向における面がスペーサ本体５０の他方の面に当接するようにして、隣り合う電池セル３間に配置される。
【００３３】
フレーム７は、Ｘ方向における複数の電池セル３の両側に配置され且つＸ方向において複数の電池セル３及び複数のスペーサ５を挟み込む一対の終端部材７０（いわゆるエンドプレート）と、該一対の終端部材７０同士を連結し、複数の電池セル３及び複数のスペーサ５を一体に緊締する連結部材７５とを備えている。
【００３４】
終端部材７０は、例えば鋳造によって形成された、例えばアルミなどの金属製である。終端部材７０は、終端部材本体７１と、該終端部材本体７１の下部からＸ方向外方に突出する脚部７２とを備えている。終端部材本体７１は、スペーサ本体５０と同様、電池セル３のケース３０がＸ方向から見て矩形状であるのに対応して、矩形状に形成されている。終端部材７１は、矩形状の枠部と、該枠部内に形成された格子形状のリブとで構成され、Ｘ方向にある程度の厚みを有しながらも、軽量であり、剛性を有している。
【００３５】
終端部材本体７１の側部には、後述するボルト（締結部材）８５のネジ部が螺入される雌ネジ７１０がＹ方向に沿って形成されている。雌ネジ７１０は、終端部材本体７１のＹ方向における一方の側部及び他方の側部（以下、単に「一側部」、「他側部」という）のそれぞれにおいて、Ｚ方向に互いに間隔を有して一対設けられている。
【００３６】
一側部における一対の雌ネジ７１０は、Ｚ方向における終端部材本体７１の中心線を基準として、互いに非対称的な位置に形成されている。すなわち、一側部において、一方の雌ネジ７１０は、一側部のＺ方向における一端側に形成され、他方の雌ネジ７１０は、一側部のＺ方向における他端からＺ方向中心側に寄った位置に形成されている。より詳しくは、一側部において、一方の雌ネジ７１０は、一側部のＺ方向における一端側に配置され、他方の雌ネジ７１０は、一方の雌ネジ７１０との間に、ボルト８５の頭部のＺ方向における幅寸法よりも大きな間隔が形成されるよう、且つ、一側部のＺ方向における他端との間に、ボルト８５の頭部のＺ方向における幅寸法よりも大きな間隔が形成されるよう、配置されている。
【００３７】
また、他側部における一対の雌ネジ７１０は、Ｚ方向における終端部材本体７１の中心線を基準として、互いに非対称的な位置に形成されている。すなわち、他側部において、一方の雌ネジ７１０は、他側部のＺ方向における他端側に形成され、他方の雌ネジ７１０は、他側部のＺ方向における一端からＺ方向中心側に寄った位置に形成されている。より詳しくは、他側部において、一方の雌ネジ７１０は、他側部のＺ方向における他端側に配置され、他方の雌ネジ７１０は、一方の雌ネジ７１０との間に、ボルト８５の頭部のＺ方向における幅寸法よりも大きな間隔が形成されるよう、且つ、他側部のＺ方向における一端との間に、ボルト８５の頭部のＺ方向における幅寸法よりも大きな間隔が形成されるよう、配置されている。
【００３８】
さらには、一側部における一対の雌ネジ７１０と、他側部における一対の雌ネジ７１０とは、Ｙ方向及びＺ方向における終端部材本体７１の中心点を基準として、点対称位置に形成されている。
【００３９】
脚部７２は、後述するボルト（締結部材）８７によって後述するベースプレートＡに取り付けられた状態で、Ｘ方向及びＹ方向への倒れに対し、十分な強度を有するよう、ある程度の厚みを有して終端部材本体７１と一体形成されている。脚部７２には、ボルト８７のネジ部を通すための貫通孔７２０がＺ方向に沿って形成されている。脚部７２の先端部は、半円弧状に形成されている。脚部７２は、Ｙ方向に互いに間隔を有して一対設けられている。
【００４０】
一対の脚部７２は、Ｙ方向における終端部材本体７１の中心線を基準として、互いに非対称的な位置に形成されている。すなわち、一方の脚部７２は、終端部材本体７１の下部のＹ方向における一端側に形成され、他方の脚部７２は、終端部材本体７１の下部のＹ方向における他端からＹ方向中心側に寄った位置に形成されている。より詳しくは、一方の脚部７２は、終端部材本体７１の下部のＹ方向における一端側に配置され、他方の脚部７２は、一方の脚部７２との間に、脚部７２のＹ方向における幅寸法よりも大きな間隔が形成されるよう、且つ、終端部材本体７１の下部のＹ方向における他端との間に、脚部７２のＹ方向における幅寸法よりも大きな間隔が形成されるよう、配置されている。
【００４１】
本実施形態では、同じ二つの終端部材７０が一対の終端部材７０に使用されている。すなわち、本実施形態では、同じ向きに並ぶ同じ二つの終端部材７０の一方の終端部材７０が１８０度ひっくり返され（Ｚ軸を中心として回転させられ）、互いに内面が対向した状態で、同じ二つの終端部材７０が使用されている。
【００４２】
なお、終端部材７０と電池セル３との間に配置されるスペーサ５は、隣り合う電池セル３間に配置されるスペーサ５と同じものが使用される。したがって、終端部材７０と電池セル３との間に配置されるスペーサ５は、電池セル３のケース３０のＸ方向における面がスペーサ本体５０の一方の面に当接し、且つ、終端部材７０のＸ方向における内面がスペーサ本体５０の他方の面に当接するようにして、配置される。
【００４３】
連結部材７５は、Ｙ方向における複数の電池セル３の両側に一対設けられている。すなわち、連結部材７５は、Ｙ方向の一方側から複数の電池セル３に対向配置される連結部材７５と、Ｙ方向の他方側から複数の電池セル３に対向配置される連結部材７５とを備えている。
【００４４】
連結部材７５は、Ｘ方向に沿って延びて互いに間隔を有して平行する一対の横梁部７６と、該一対の横梁部７６のＸ方向における一端部同士及び他端部同士を連結する一対の縦梁部７７とを備え、全体として、矩形の枠形状を呈している。一対の横梁部７６の一方の横梁部７６は、複数の電池セル３の底部に回り込む折り曲げ部７６０を備えている。一対の縦梁部７７のそれぞれは、一端及び他端にある電池セル３のＸ方向における面に回り込む折り曲げ部７７０を備えている。これにより、一対の連結部材７５は、折り曲げ部７６０，７７０によって剛性が高められるとともに、複数の電池セル３及び複数のスペーサ５の、Ｚ方向を折り曲げ部７６０によって拘束し、Ｘ方向を一対の折り曲げ部７７０によって拘束し、Ｙ方向を一対の横梁部７６及び一対の縦梁部７７によって拘束する。また、連結部材７５は、一対の横梁部７６及び一対の縦梁部７７によって枠形状に形成されることで、特にＸ方向の断面モーメントを向上させているため、複数の電池セル３の積層方向における剛性が非常に強くなっている。
【００４５】
連結部材７５の一対の縦梁部７７には、ボルト８５のネジ部を通すための貫通孔７７１がＹ方向に沿って形成されている。貫通孔７７１は、連結部材７５のＸ方向における一端部及び他端部（以下、単に「一端部」、「他端部」という）のそれぞれにおいて、Ｚ方向に互いに間隔を有して一対設けられている。
【００４６】
一端部における一対の貫通孔７７１は、Ｚ方向における連結部材７５の中心線を基準として、互いに非対称的な位置に形成されている。すなわち、一端部において、一方の貫通孔７７１は、一端部のＺ方向における一端側に形成され、他方の貫通孔７７１は、一端部のＺ方向における他端からＺ方向中心側に寄った位置に形成されている。より詳しくは、一端部において、一方の貫通孔７７１は、一端部のＺ方向における一端側に配置され、他方の貫通孔７７１は、一方の貫通孔７７１との間に、ボルト８５の頭部のＺ方向における幅寸法よりも大きな間隔が形成されるよう、且つ、一端部のＺ方向における他端との間に、ボルト８５の頭部のＺ方向における幅寸法よりも大きな間隔が形成されるよう、配置されている。
【００４７】
また、他端部における一対の貫通孔７７１は、Ｚ方向における連結部材７５の中心線を基準として、互いに非対称的な位置に形成されている。すなわち、他端部において、一方の貫通孔７７１は、他端部のＺ方向における他端側に形成され、他方の貫通孔７７１は、他端部のＺ方向における一端からＺ方向中心側に寄った位置に形成されている。より詳しくは、他端部において、一方の貫通孔７７１は、他端部のＺ方向における他端側に配置され、他方の貫通孔７７１は、一方の貫通孔７７１との間に、ボルト８５の頭部のＺ方向における幅寸法よりも大きな間隔が形成されるよう、且つ、他端部のＺ方向における一端との間に、ボルト８５の頭部のＺ方向における幅寸法よりも大きな間隔が形成されるよう、配置されている。
【００４８】
さらには、一端部における一対の貫通孔７７１と、他端部における一対の貫通孔７７１とは、Ｙ方向及びＺ方向における連結部材７５の中心点を基準として、点対称位置に形成されている。
【００４９】
本実施形態では、同じ二つの連結部材７５が一対の連結部材７５に使用されている。すなわち、本実施形態では、同じ向きに並ぶ同じ二つの連結部材７５の一方の連結部材７５が１８０度ひっくり返され（Ｚ軸を中心として回転させられ）、互いに内面が対向した状態で、同じ二つの連結部材７５が使用されている。
【００５０】
セル監視回路モジュール９は、セル監視回路（図示しない）を回路ケース９０に収容したものである。回路ケース９０は、開口部を有するケース本体９１と、該ケース本体９１の開口部を塞いで密閉する蓋体９２とを備えている。
【００５１】
以上の構成からなる電池モジュール１は、間にスペーサ５が配置されつつ複数の電池セル３が積層され、一端及び他端にある電池セル３の外側にもスペーサ５が配置され、さらにその両側に一対の終端部材７０が配置され、一対の終端部材７０間にＸ方向の圧縮力が掛けられた状態で、一対の連結部材７５が複数の電池セル３にＹ方向から配置されるとともに、連結部材７５の各貫通孔７７１に挿通されたボルト８５のネジ部が終端部材７０の各雌ネジ７１０に螺入され、複数の電池セル３及び複数のスペーサ５がフレーム７とともに一体化された後、セル監視回路モジュール９が複数の電池セル３にＺ方向から配置されて取り付けられることによって、完成する。
【００５２】
ところで、以上の構成からなる電池モジュール１では、終端部材７０の脚部７２が突部として突出している。より詳しくは、一方の終端部材７０の脚部７２が第一の突部として電池モジュール１の一方側に突出し、他方の終端部材７０の脚部７２が第二の突部として電池モジュール１の他方側に突出している。なお、突部とは、電池モジュール１をＸ方向、Ｙ方向又はＺ方向のいずれかの方向から見た場合、電池モジュール１の輪郭（外形線）からはみ出ている部分をいう。しかしながら、図６に示す如く、Ｘ方向で隣り合う電池モジュール１の一方の電池モジュール１の脚部７２と他方の電池モジュール１の脚部７２とは、Ｙ方向において異なる位置に位置している。したがって、少なくとも二つの電池モジュール１がベースプレートＡ上でＸ方向に並べられて配置される際、脚部７２同士が干渉することはない。そのため、Ｘ方向で隣り合う電池モジュール１をできるだけ接近させて配置することができる。なお、電池モジュール１は、脚部７２の貫通孔７２０に挿通されたボルト８７のネジ部がベースプレートＡに形成された雌ネジ（図示しない）に螺入されることで、ベースプレートＡに固定される。
【００５３】
また、以上の構成からなる電池モジュール１では、連結部材７５を終端部材７０に締結するためのボルト８５の頭部が突部として突出している。より詳しくは、一方の連結部材７５を終端部材７０に締結するためのボルト８５の頭部が第一の突部として電池モジュール１の一方側に突出し、他方の連結部材７５を終端部材７０に締結するためのボルト８５の頭部が第二の突部として電池モジュール１の一方側とは反対側に突出している。しかしながら、図６に示す如く、Ｙ方向で隣り合う電池モジュール１の一方の電池モジュール１のボルト８５の頭部と他方の電池モジュール１のボルト８５の頭部とは、Ｚ方向において異なる位置に位置している。したがって、少なくとも二つの電池モジュール１がベースプレートＡ上でＹ方向に並べられて配置される際、ボルト８５の頭部同士が干渉することはない。そのため、Ｙ方向で隣り合う電池モジュール１をできるだけ接近させて配置することができる。
【００５４】
このように、以上の構成からなる電池モジュール１によれば、ベースプレートＡ上の縦横両方向で電池モジュール１を接近させて密に配置することができる。そのため、単位体積あたりの蓄電容量を増やしつつ、電池モジュールユニットを小型化することができる。
【００５５】
また、本実施形態では、ベースプレートＡは、内部に（パイプを介して）水などの冷却媒体が流通する冷却プレート（ヒートシンク）であるが、複数の電池モジュール１を密に配置することができるため、各電池モジュール１をムラなく均一に冷却することができるという効果もある。より詳しくは、水冷式の場合、電池モジュール１をベースプレートＡ上に配置する必要があるが、以上の構成からなる電池モジュール１によれば、複数の電池モジュール１を密に配置することができるため、同一のベースプレートＡの面積であっても、隣り合う電池モジュール１の脚部７２同士やボルト８５の頭部同士が干渉してしまう配置である場合に比べて、より多くの電池モジュール１を配置することができる。そのため、ベースプレートＡのコスト増加を抑制しつつ、多くの電池モジュール１を搭載することができる。
【００５６】
尚、本発明に係る蓄電装置は、上記実施形態に限定されるものではなく、本発明の要旨を逸脱しない範囲で種々の変更が可能である。
【００５７】
例えば、上記実施形態においては、脚部７２は、Ｙ方向において異なる位置に形成されている。しかしながら、これに限定されるものではない。脚部７２は、Ｚ方向において異なる位置に形成されていてもよい。
【００５８】
また、上記実施形態においては、脚部７２は、Ｘ方向外方に突出している。しかしながら、これに限定されるものではない。脚部７２は、Ｙ方向外方に突出するものであってもよい。あるいは、脚部７２は、Ｘ方向にもＹ方向にも突出するものであってもよい。
【００５９】
また、上記実施形態においては、ボルト８５の頭部は、Ｚ方向において異なる位置に形成されている。しかしながら、これに限定されるものではない。ボルト８５の頭部は、Ｘ方向において異なる位置に形成されていてもよい。
【００６０】
また、上記実施形態においては、ボルト８５がＹ方向に螺合するものであるため、ボルト８５の頭部は、Ｙ方向外方に突出している。しかしながら、これに限定されるものではない。ボルト８５がＸ方向に螺合することで、ボルト８５の頭部は、Ｘ方向外方に突出するものであってもよい。あるいは、ボルト８５の頭部は、Ｙ方向にもＸ方向にも突出するものであってもよい。
【００６１】
また、上記実施形態においては、一対の連結部材７５が一対の終端部材７０の左右側方に配置されている。しかしながら、これに限定されるものではない。一対の連結部材が一対の終端部材７０の頂部及び底部に配置されるようにしてもよい。また、それぞれ連結部材７５は、枠状でなく、帯板状であってもよい。なお、この場合、連結部材７５の一端部における一対の貫通孔７７１と、他端部における一対の貫通孔７７１とは、Ｘ方向及びＹ方向における連結部材７５の中心点を基準として、点対称位置に形成されている。
【００６２】
また、上記実施形態においては、脚部７２は電池モジュール１のＸ方向における片面に二つ設けられ、ボルト８５の頭部は電池モジュール１のＹ方向における片面に四つ設けられている。しかしながら、これに限定されるものではない。脚部７２は一つであってもよく、三つ以上であってもよい。ボルト８５は二つ又は三つであってもよく、五つ以上であってもよい。
【００６３】
また、上記実施形態においては、脚部７２は電池モジュール１の一方側と他方側のそれぞれに同じ数だけ設けられ、ボルト８５の頭部も電池モジュール１の一方側と他方側のそれぞれに同じ数だけ設けられている。しかしながら、これに限定されるものではない。例えば、電池モジュール１の一方側には、脚部７２が一つ、他方側には、脚部７２が二つといったように、電池モジュール１の一方側の突部（第一の突部）と電池モジュール１の他方側の突部（第二の突部）は、同数でなくてもよい。
【００６４】
また、上記実施形態においては、部材と部材とを締結して突部となってしまうものがボルト８５であった。しかしながら、これに限定されるものではない。リベット、アンカー等、他の締結部材であってもよい。
【００６５】
また、上記実施形態においては、保持体として、一対の終端部材７０及び一対の連結部材７５を備えたフレーム７が用いられ、積層された電池セル３がフレーム７によって緊締保持されるようになっている。しかしながら、これに限定されるものではない。保持体は、例えば、複数の電池セル３を密に配置して又は間にある程度の隙間を有して収容するケース状（箱状）の筐体であってもよい。
【００６６】
また、上記実施形態においては、水冷式が採用されている。しかしながら、これに限定されるものではない。電池セル３間に隙間が形成されてこの隙間に空気が流通することで電池セル３が冷却される、いわゆる空冷式であってもよい。
【００６７】
また、上記実施形態においては、一対の終端部材７０として、二つの同一の終端部材７０が用いられ、一対の連結部材７５として、二つの同一の連結部材７５が用いられている。しかしながら、これに限定されるものではない。一方の終端部材７０と他方の終端部材７０は同一のもの（同じ構成のもの）でなくてもよい。また、一方の連結部材７５と他方の連結部材７５は同一のもの（同じ構成のもの）でなくてもよい。特に、電池モジュールユニットにおいて、両端にある電池モジュール１のそれぞれ外方の終端部材７０として、仮に突部（脚部）が突出しない終端部材が用いられれば、電池モジュールユニットの最外周を突部が突出していない構造にすることができる。これにより、電池モジュールユニットの周壁を中心側にオフセットすることができて、電池モジュールユニットのダウンサイジングを図ることができる。
【００６８】
また、上記実施形態においては、連結部材７５として、矩形の枠形状を呈する板材の両端を折り曲げて折り曲げ部７７０を形成したものが用いられている。しかしながら、これに限定されるものではない。例えば、図７に示すように、ある程度の厚み（例えば６ｍｍ程度）を有する矩形の枠形状の板材（鋼板）を連結部材７５として用いるようにしてもよい。この場合、ボルト８５のネジ部を通すための貫通孔７７１は、板材にそのまま形成してもいいが、複数の電池モジュール１を密に配置するためには、板材に凹部（段差部）７７２が形成され、ここに貫通孔７７１が形成されることで、ボルト８５の頭部が沈み込むようになるのが好ましい。この場合、ボルト８５の頭部は、僅かに板材の外面から突出している。
【００６９】
また、上記実施形態においては、リチウムイオン二次電池について説明した。しかしながら、電池の種類や大きさ（容量）は任意である。
【００７０】
また、本発明は、リチウムイオン二次電池に限定されるものではない。本発明は、種々の二次電池、その他、一次電池や、電気二重層キャパシタ等のキャパシタにも適用可能である。
【符号の説明】
【００７１】
１…電池モジュール、３…電池セル、３０…ケース、３１…ケース本体、３２…蓋体、３３…電極端子、３４…バスバー、３５…外部端子、５…スペーサ、５０…スペーサ本体、５１…保持部、５２…角部保持部、５３…角部間保持部、７…フレーム、７０…終端部材、７１…終端部材本体、７１０…雌ネジ、７２…脚部（突部）、７２０…貫通孔、７５…連結部材、７６…横梁部、７６０…折り曲げ部、７７…縦梁部、７７０…折り曲げ部、７７１…貫通孔、８５…ボルト（締結部材、突部）、８７…ボルト（締結部材）、９…セル監視回路（ＣＭＵ）モジュール、９０…回路ケース、９１…ケース本体、９２…蓋体、Ａ…ベースプレート
【図１】
2014182946.tif 000003
【図２】
2014182946.tif 000004
【図３】
2014182946.tif 000005
【図４】
2014182946.tif 000006
【図５】
2014182946.tif 000007
【図６】
2014182946.tif 000008
【図７】
2014182946.tif 000009